(57)【要約】【課題】１台でマッサージ機能による肌トリートメントとイオン導入機能による肌トリートメントが行えるようにしたイオン導入機能付き振動美容器を提供すること。【解決手段】手で把持できる美容器本体１のヘッド部１３のヘッド板１３を振動発生手段３により振動させるようにした振動美容器に、陰陽２つの電極端子２をもつ電気回路４１，４２における一方の電極端子４１を上記ヘッド板１３に接続し、他方の電極端子４２を上記美容器本体１の外面の適所に設けたアース板１４に接続してなるイオン導入手段４を組み込んでいることにより、１台でマッサージ機能による肌トリートメントとイオン導入機能による肌トリートメントが行えるようにした。【選択図】  図１
2016043035.tif 000002
【特許請求の範囲】
【請求項１】
手で把持できる美容器本体（１）のヘッド部（１３）のヘッド板（１３）を振動発生手段（３）により振動させるようにした振動美容器に、陰陽２つの電極端子（４１，４２）をもつ電気回路（２）における一方の電極端子（４１）を上記ヘッド板（１３）に接続し、他方の電極端子（４２）を上記美容器本体（１）の外面の適所に設けたアース板（１４）に接続してなるイオン導入手段（４）を組み込んでいることを特徴とするイオン導入機能付き振動美容器。
【発明の詳細な説明】
【技術分野】
【０００１】
本願発明は、美容器本体のヘッド部（ヘッド板）を振動させることで肌に対するマッサージ機能を発生させるとともに、該ヘッド部（ヘッド板）に肌へのイオン導入機能を持たせたイオン導入機能付き振動美容器に関するものである。
【背景技術】
【０００２】
振動美容器は、美容器本体のヘッド部（ヘッド板）を振動させながらトリートメント肌面に接触させることで、マッサージ機能による肌のトリートメントを行うものである。尚、振動美容器のヘッド部に対する振動発生源としては、振動モータや音波振動発生器（音波振動子を含む）等の振動発生手段が使用されており、中でも振動発生手段が音波振動を発生させるものは、音波振動美容器として広く普及している。
【０００３】
ところで、肌の美容器具として、上記したような肌に対するマッサージ機能を発生する振動美容器のほかに、皮膚深層部に化粧液の有効成分を浸透させたり肌のクレンジング（汚れ成分の除去）を行えるようにしたイオン導入美容器も普及している。
【０００４】
この種のイオン導入美容器は、美容器本体のヘッド部（ヘッド板）に電気回路の一方の電極端子（＋極と−極に変換可能）を接続する一方、美容器本体の適所（手で把持できる部位）に設けたアース板に電気回路の他方の電極端子を接続したものである。尚、ヘッド板接続側の電極端子とアース板接続側の電極端子とは、用途に応じて極性を可逆的に切換え得るようにしたものが多い。
【０００５】
そして、このイオン導入美容器は、次のように使用される。まず、化粧液中の有効成分（＋極性のものが多い）を皮膚内に浸透させる場合は、ヘッド板側の極性を＋極に設定し、トリートメント肌面に化粧液を塗布し、アース板に手指を接触させた状態でヘッド板をトリートメント肌面（化粧液塗布面）に接触させることで、人体を介して微弱な直流電流を流す。そのときヘッド板部分が化粧液の有効成分（＋極性）と同じ＋極であるので、トリートメント肌面に塗布している化粧液の有効成分（＋極性のイオン）が電気的反発作用によって皮膚深層部に浸透されるようになる。他方、肌のクレンジング（汚れ成分の除去）を行う場合は、汚れ成分の多くが＋極性であるので、ヘッド板側の極性を−極に設定し、アース板に手指を接触させた状態でヘッド板をトリートメント肌面に接触させることで、トリートメント肌面の汚れ成分（＋極性）を電気的吸引作用によって除去するようになる。
【発明の概要】
【発明が解決しようとする課題】
【０００６】
ところで、従来の振動美容器では、ヘッド部（ヘッド板）の振動により肌に対してマッサージ機能によるトリートメントしか行えず、他方、従来のイオン導入美容器では、電気的なイオン導入機能によるトリートメントしか行えないものであって、該マッサージ機能によるトリートメントとイオン導入機能によるトリートメントを行うには、それぞれ専用の美容器（振動美容器とイオン導入美容器の２台）を購入するとともに、美容目的に沿った機種を選択して使用する必要があった。
【０００７】
そこで、本願発明は、１台でマッサージ機能による肌トリートメントとイオン導入機能による肌トリートメントが行えるようにしたイオン導入機能付き振動美容器を提供することを目的としたものである。
【課題を解決するための手段】
【０００８】
本願発明は、上記課題を解決するための手段として次の構成を有している。尚、本願発明は、マッサージ機能による肌トリートメントとイオン導入機能による肌トリートメントを行えるようにしたイオン導入機能付き振動美容器を対象にしたものである。
【０００９】
そして、本願発明のイオン導入機能付き振動美容器は、手で把持できる美容器本体のヘッド部を振動発生手段により振動させるようにした振動美容器に、陰陽２つの電極端子をもつ電気回路における一方の電極端子を上記ヘッド部に接続し、他方の電極端子を上記美容器本体の外面の適所に設けたアース板に接続してなるイオン導入手段を組み込んでいることを特徴としている。
【００１０】
本願の振動美容器では、美容器本体のヘッド部に金属製のヘッド板が設けられていて、このヘッド板を振動発生手段（例えば振動モータや音波振動発生器）で高速振動させるようにしている。尚、振動発生手段として音波振動を発生させるものでは、ヘッド板の内面に音波振動子を取付けるとともに、該音波振動子を音波振動発生器で高速振動（音波振動）させるようにしたものが採用される。
【００１１】
他方、本願の振動美容器に組み込んでいるイオン導入手段は、美容器本体内に直流電流を流す電気回路を組み込み、該電気回路の一方の電極端子を上記ヘッド部（ヘッド板）に接続する一方、該電気回路の他方の電極端子を美容器本体に設けたアース板に接続させたものである。尚、このイオン導入手段は、用途（イオン導入かクレンジングか）に応じて両電極端子の極性を可逆的に変換させ得るようにしたものが望ましい。
【００１２】
そして、本願発明のイオン導入機能付き振動美容器は、１台で、振動発生手段によるマッサージ機能と、イオン導入手段によるイオン機能とを付与できる。尚、上記マッサージ機能による肌トリートメントは、肌の引き締めやタルミ除去、及び血行増進による代謝促進等に寄与するものであり、上記イオン機能によるトリートメントは、肌の保湿や美白、及びクレンジング等に寄与するものである。
【００１３】
又、このイオン導入機能付き振動美容器では、上記マッサージ機能による肌面トリートメントと上記イオン機能による肌面トリートメントとは、個別に行うことも同時に行うこともできる。
【発明の効果】
【００１４】
本願発明のイオン導入機能付き振動美容器では、次のような効果がある。
【００１５】
(1) 単一の美容器本体にマッサージ機能とイオン機能を付与しているので、該美容器本体を両機能付与構成体として共用できるとともに、２つの機能を有するものであっても全体をコンパクトに且つ安価に製作できる。
【００１６】
(2) １台で２つの機能（マッサージ機能とイオン機能）を付与できるので、使い勝手が良好となるとともに、トリートメント肌面に対して両機能による相乗効果を期待できる。
【図面の簡単な説明】
【００１７】
【図１】本願実施例のイオン導入機能付き振動美容器に断面図である。
【図２】図１のイオン導入機能付き振動美容器の電気回路図である。
【発明を実施するための形態】
【００１８】
［実施例］
図１及び図２を参照して本願実施例のイオン導入機能付き振動美容器を説明する。尚、
以下の説明では、本願のイオン導入機能付き振動美容器を単に振動美容器ということがある。
【００１９】
図１の振動美容器は、ハンディタイプ式のものであって、美容器本体１は把持部１１の先側にヘッド部１２を設けて構成している。
【００２０】
美容器本体１は、大部分の面積が合成樹脂製のケース体で構成されているとともに、後述のヘッド板１３とアース板１４にそれぞれステンレス等の通電可能な金属板が用いられている。
【００２１】
美容器本体１の先側の一面には、機能部となるヘッド部１２を設けている。このヘッド部１２は、かなり大きな円形の開口にヘッド板１３を嵌め込んで形成している。該ヘッド板１３には、ステンレス等の通電可能な金属板が用いられている。
【００２２】
そして、本願実施例のイオン導入機能付き振動美容器には、上記ヘッド板１３を音波振動させる振動発生手段３と、該ヘッド板１３から化粧液の有効成分をイオン化して肌内に浸透させるイオン導入手段４とを備えている。
【００２３】
この振動発生手段３及びイオン導入手段４は、それぞれ図１及び図２に示す電気回路２によって作動される。尚、この実施例では、電気回路２の電源２１として、美容器本体１内に内蔵された電池を使用しているが、他の実施例では、この電源２１としては交流電源をＡＣ−ＤＣ変換器を用いて直流電源に変換したものを用いてもよい。
【００２４】
そして、振動発生手段３及びイオン導入手段４には、電源（電池）２１からの電力を基板２２（図１）を介してそれぞれ供給するようにしている。
【００２５】
上記振動発生手段３は、この実施例では、ヘッド板１３の内面に取付けた音波振動子３２を音波振動発生器３１で音波振動させるようにした振動発生回路３Ａ（図２参照）により、ヘッド板１３から音波振動を出力するようにしたものである。音波振動子３２は、板状の圧電体（圧電セラミックス）の表裏各面に薄板状（膜状）の電極を設けたもので、両電極間に電流を流すことによって圧電体（音波振動子３２）を音波振動させ得るようにしたものである。この振動発生手段３は、スイッチ３３のＯＮ・ＯＦＦ操作で作動を制御する。
【００２６】
尚、他の実施例では、振動発生手段３として、音波振動発生器３１及び音波振動子３２に代えて振動モータを使用することができる。
【００２７】
上記イオン導入手段４は、陰陽２つの電極端子４１，４２をもつ電気回路２（図２のイオン導入回路４Ａ）を用い、その電気回路２（イオン導入回路４Ａ）の一方の電極端子４１を上記ヘッド板１３に接続する一方、該電気回路２（イオン導入回路４Ａ）の他方の電極端子４２を美容器本体１の把持部１１の外面に設けたアース板１４に接続したものである。
【００２８】
このイオン導入手段４は、図２に示すように、美容器本体１の把持部１１を握ると手指７がアース板１４に接触し、その状態でヘッド板１３をトリートメントすべき肌面６（化粧液が塗布されている）に接触させることで、イオン導入回路４Ａが人体を介して閉路されて電源（電池）２１からの微弱電流（直流電流）がヘッド板１３とアース板１４間を流れるようになっている。そして、そのとき、一方の電極端子４１を接続したヘッド板１３が一方の極性（例えば＋極性）となる一方で、他方の電極端子４２を接続したアース板１４が他方の極性（例えば−極性）となる。
【００２９】
ところで、イオン導入機能による肌のトリートメントとしては、化粧液中の有効成分（イオン化したもの）を電気的反発作用によって皮膚深層部に浸透させる場合と、肌の汚れを電気的吸引により除去する場合とがある。そして、化粧液の有効成分は＋極性（＋イオン）のものが多いので、イオン導入による肌面のトリートメントを行う場合は、ヘッド板１３側を＋極性にした状態（電気的反発作用が発生する）で実施することが多い。他方、肌の汚れは、＋極性のものが多いので、汚れ除去のトリートメントを行う場合は、ヘッド板１３側を−極性にした状態（電気的吸引作用が発生する）で実施する。そこで、この実施例のイオン導入手段４の電気回路（イオン導入回路４Ａ）中には、両電極端子４１，４２の極性を可逆的に変換するための極性切換スイッチ４３を設けていて、トリートメントの種類によってヘッド板１３側の極性を適正に設定できるようにしている。
【００３０】
図１及び図２に示す実施例の振動美容器は、振動発生手段３によるマッサージ機能単独使用と、イオン導入手段４によるイオン導入機能単独使用と、振動発生手段３及びイオン導入手段４の両機能同時使用との、３通りの使用方法を選択できる。
【００３１】
マッサージ機能単独使用の場合は、振動発生回路３Ａのスイッチ３３をＯＮにすると、音波振動発生器３１により音波振動子３２が励振されてヘッド板１３が音波振動するようになる。そして、この状態で、ヘッド板１３をトリートメント肌面６（図２）に接触させることにより、該トリートメント肌面６にマッサージ機能を付与することができる。尚、このようなマッサージ機能による肌トリートメントは、肌の引き締めやタルミ除去、及び新陳代謝促進等に寄与するものである。
【００３２】
イオン導入機能単独使用で化粧液の有効成分を皮膚内部に浸透させる場合は、極性切換スイッチ４３でヘッド板１３側を適正な極性（＋極性）に設定し、トリートメント肌面６（図２）に化粧液を塗布し、把持部１１のアース板１４に手指７（図２）を接触させた状態で、ヘッド板１３をトリートメント肌面６に接触させる。すると、図２に示すように、ヘッド板１３側が＋極性であるので、トリートメント肌面６に塗布している化粧液の有効成分（＋極性のイオン）が電気的反発作用により肌面６内に押し込まれる。尚、このようなイオン導入機能による肌トリートメントは、肌の保湿や美白に寄与するものである。
【００３３】
他方、イオン導入機能単独使用で肌の汚れを除去する場合は、極性切換スイッチ４３でヘッド板１３側を適正な極性（−極性）に切換え、トリートメント肌面６（図２）に水分（ジェル）を塗布し、把持部１１のアース板１４に手指７（図２）を接触させた状態で、ヘッド板１３をトリートメント肌面６に接触させる。すると、図２の表示とは逆に、ヘッド板１３側が−極性となる一方、トリートメント肌面６の汚れ成分が＋極性であるので、該汚れ成分が電気的吸引作用により肌面６からヘッド板１３側に吸引されるようになる。尚、このような肌面の汚れ除去機能による肌トリートメントは、肌のクレンジングに寄与するものである。
【００３４】
さらに、振動発生手段３及びイオン導入手段４の両機能同時使用の場合は、振動発生回路３Ａの振動スイッチ３３をＯＮにして振動発生手段３を機能させた状態で、イオン導入手段４を機能させる。この場合は、トリートメント肌面に対して、振動発生手段３による上記マッサージ機能とイオン導入手段４によるイオン導入機能とを同時に付与することができるので、両機能（マッサージ機能とイオン導入機能）による相乗効果で、肌のトリートメントを一層促進させることができるという効果が得られる。
【符号の説明】
【００３５】
１は美容器本体、２は電気回路、３は振動発生手段、３Ａは振動発生回路、４はイオン導入手段、４Ａはイオン導入回路、６は肌面、７は手指、１１は把持部、１２はヘッド部、１３はヘッド板、１４はアース板、２１は電源（電池）、２２は基板、３１は音波振動発生器、３２は音波振動子、４１，４２はそれぞれ電極端子、４３は極性切換スイッチである。
【図１】
2016043035.tif 000003
【図２】
2016043035.tif 000004